(57)【要約】【課題】構成を単純化するにあたってヘッドが静電気で破壊されない構造の磁気ディスク装置を提供する。【解決手段】ディスク１に磁気記録・再生を行うヘッド２と、ヘッドを支持するアーム３を移動させるモータ４と、全体制御を行う制御ＰＣＢ８とを備えた磁気ディスク装置において、前記制御ＰＣＢと前記ヘッド及び前記モータとの間の配線を、ＦＰＣ１２を介して接続する手段として、前記制御ＰＣＢと前記ＦＰＣとの間に、前記制御ＰＣＢとの非接続時には、前記ヘッドの端子間をショート状態に保持し、前記制御ＰＣＢとの接続時には、前記ヘッドの端子間をオープン状態とし、かつ前記制御ＰＣＢとの電気回路の接続を可能にするノーマルクローズの開閉手段１５、１６を備えた。【選択図】　　　　図１
2004127338.tif 000002
【特許請求の範囲】
【請求項１】
ディスクに磁気記録・再生を行うためのヘッドと、
前記ヘッドの書込み・読出し制御を行う制御手段を有する制御基板と、
前記ヘッドへの書込み電流を発生させるとともに前記ヘッドの読出し信号を増幅する増幅手段と、
前記ヘッドと前記制御基板との間の電気的接続のための配線を有する可撓性基板と、
前記ヘッドと前記制御基板との電気的接続を接続状態又は非接続状態に切換えが可能なノーマルクローズの開閉手段とを、
備えた磁気ディスク装置。
【請求項２】
前記可撓性基板は、前記制御基板と前記ヘッドとの配線を有し、前記ヘッドを支持するアームを移動させるモータへの配線と区別したことを特徴とする請求項１に記載の磁気ディスク装置。
【請求項３】
前記制御手段は、前記増幅手段と当該増幅手段に前記ヘッドの書込み及び読出しのための制御信号を出力する記録・復調回路とを一体的に有することを特徴とする請求項１又は２に記載の磁気ディスク装置。
【請求項４】
前記開閉手段は、前記ヘッドの両端につながる複数の配線にそれぞれ接続された弾性を有する複数の導電性端子片と、前記導電性端子片の一端を固定し、かつ他端に対向する位置に凹部を有する前記端子片の支持基板と、前記凹部に設けられた導電体と、前記制御基板に接続され、それぞれの前記端子片と対向する前記支持基板との間に挿入される複数の制御基板端子とを有することを特徴とする請求項１から３のいずれか１つに記載の磁気ディスク装置。
【発明の詳細な説明】
【０００１】
【発明の属する技術分野】
本発明は、磁気ディスクの構成を単純化するにあたってヘッドが静電気で破壊されない構造の磁気ディスク装置に関する。
【０００２】
【従来の技術】
従来、磁気ディスク装置として、磁気ディスクを回転させるスピンドルモータと、そのモータ駆動回路と、磁気記録・再生を行う磁気ディスク及びヘッドと、ヘッドを支持するアームと、アームを移動させる駆動用モータとしてのＶＣＭ（ボイスコイルモータ：Ｖｏｉｃｅ　Ｃｏｉｌ　Ｍｏｔｏｒ）と、ＶＣＭを駆動するモータ駆動回路と、全体制御を行う制御手段としての制御基板（以下、制御ＰＣＢ（Ｐｒｉｎｔｅｄ　Ｃｉｒｃｕｉｔ　Ｂｏａｒｄ）と称す）とを備えたものがある。
【０００３】
図５は、従来の磁気ディスク装置の構成を示す模式的なブロック図である。ディスク１は、モータ駆動回路１０で駆動されるスピンドルモータ６により回転される。１つ又は複数のヘッド２は、１つ又は複数のアーム３で支持され、アーム３はＶＣＭ４に固定され、モータ駆動回路１０で駆動されるＶＣＭ４での回転動作により、１つ又は複数のアーム３の先端のヘッド２は、ディスク１の内周、あるいは外周方向に移動される。ヘッド２は、ディスク１の回転による空気流の発生で数１０ｎｍの距離で浮上が保たれ、この状態で、ヘッド２とディスク１間で磁気記録及び再生が行われる。
【０００４】
ヘッド２からの信号を増幅するプリアンプ７は、制御ＰＣＢ８内の記録・復調回路９の信号で制御され、ヘッド２への書込み電流を発生させるとともに、ヘッド２からの読出し信号を増幅させる。可撓性基板としてのＦＰＣ（Ｆｌｅｘｉｂｌｅ　Ｐｒｉｎｔｅｄ　Ｃｉｒｃｕｉｔ）１２は、ヘッド２とＶＣＭ４の配線と前記プリアンプ７の配線を行い、かつプリアンプ７を実装している（例えば、特許文献１参照）。
【０００５】
【特許文献１】
特開平５−２８４４号公報（第２頁の段落０００６、第４頁の段落００１６）
【０００６】
また、ディスク１と、ヘッド２と、ＶＣＭ４と、アーム３と、増幅手段としてのプリアンプ７とを金属で構成されたケース及びスピンドルモータ６で囲い、その電気接合部である、プリアンプ７の入出力信号線とＶＣＭ４の接続線を、ケースの外部に取り付け、制御ＰＣＢ８と接続できる状態にしたものをＨＤＡ（Ｈｅａｄ
Ｄｉｓｃ　Ａｓｓｅｍｂｌｙ）５という。
【０００７】
このＨＤＡ５内では、ヘッド２とディスク１間で安定した距離を確保するために、ゴミの混入を避け、空気の通気を可能としたフィルタ以外は密閉した構造になっている。また、金属で囲うことで、ヘッド２とメディアをシールドした構造になり、外部からの電気ノイズの影響を少なくできる。
【０００８】
ここで、磁気ディスクの構成は、旧来１枚当たりの記憶容量が少なかったため記憶容量を上げるためにはディスク１、ヘッド２、共にそれぞれ非常に多くの複数のディスク１及び複数のヘッド２を必要としていた。この構成から、近年、ディスク１が１枚、及びヘッド２の数が１から２個のシンプルな構成が現状の主流になってきている。これは、磁気ディスク装置のディスク１とヘッド２の高密度化技術の進歩が大きな要因であり、現状の主流のディスク１が１枚でも数１０ＧＢの記憶容量を可能としている。
【０００９】
また、図６は、図５におけるヘッド２の周囲の結線図を示す。この図６では、ヘッド２が１つの場合の結線例を示す。ヘッド２はコイルが２つあり、一方は書込み用のコイル、もう一方は読出し用のコイルであり、両者併せて１つのヘッド２の機能を有する。
【００１０】
この図６に示す従来の結線図で示される構成においては、ＦＰＣ１２にプリアンプ７を実装した後にヘッド２を結線するため、このヘッド２とプリアンプ７とＦＰＣ１２が組み立てられた状態では、ヘッド２の端子間はプリアンプ７の内部インピーダンスが接合されている状態なので、１０Ｖ程度であっても静電気破壊が発生し難い状態となる。
【００１１】
【発明が解決しようとする課題】
しかしながら、上述した従来例の構成では、ＦＰＣ１２と制御ＰＣＢ８を結線する接合部１４の端子は、通常は、書込み信号２本、読出し信号２本、制御信号３本、書込み許可信号１本、異常発生信号１本、電源２本、グラウンド１本でトータル１２本の端子が必要となっている。このため、ヘッド２の数が少ないにもかかわらず電気的な接続図の端子数が多く、磁気ディスク装置のコンパクト化、コストダウンが図れていない。
【００１２】
これを改善するために、プリアンプ７の取付位置をＦＰＣ１２側から制御ＰＣＢ８側に移し構成を単純化することが考えられる。例えば、ヘッド２が１つの場合に、プリアンプ７を制御ＰＣＢ８上に移動配置が可能ならば、前記１２本の接続を４本にし、接合部１４の端子数が減らせる効果があるが、次の問題がある。
【００１３】
すなわち、ヘッド２は、静電気に対して容易に破壊しやすいものであるため、プリアンプ７をＦＰＣ１２から単純に制御ＰＣＢ８上に設置する構成とすると、ヘッド２の配線はＦＰＣ１２に直接接続することになり、プリアンプ７をＦＰＣ１２に実装するまでの間、ヘッド２の端子間がオープン状態となることから、ヘッド２が破壊するという問題が発生する。
【００１４】
本発明は上述した点に鑑みてなされたもので、構成を単純化するにあたってヘッドが静電気で破壊されない構造の磁気ディスク装置を提供することを目的とするものである。
【００１５】
【課題を解決するための手段】
上記目的を達成するために、本発明に係る磁気ディスク装置は、ディスクに磁気記録・再生を行うためのヘッドと、前記ヘッドの書込み・読出し制御を行う制御手段を有する制御基板と、前記ヘッドへの書込み電流を発生させるとともに前記ヘッドの読出し信号を増幅する増幅手段と、前記ヘッドと前記制御基板との間の電気的接続のための配線を有する可撓性基板と、前記ヘッドと前記制御基板との電気的接続を接続状態又は非接続状態に切換えが可能なノーマルクローズの開閉手段とを備えたものである。
【００１６】
この構成によれば、可撓性基板の配線数を少なくでき、接合部の簡略化が可能になるとともに、構成を単純化するにあたってヘッドが静電気で破壊されない構造の磁気ディスク装置を提供する。
【００１７】
また、前記可撓性基板は、前記制御基板と前記ヘッドとの配線を有し、前記ヘッドを支持するアームを移動させるモータへの配線と区別したことを特徴とするものである。
【００１８】
この構成によれば、ヘッドとモータの配線を別々にして、モータをヘッド配線から離すことで内部ノイズの干渉を緩和できる。
【００１９】
また、前記制御手段は、前記増幅手段と当該増幅手段に前記ヘッドの書込み及び読出しのための制御信号を出力する記録・復調回路とを一体的に有することを特徴とするものである。
【００２０】
この構成によれば、増幅手段と記録・復調回路を同一の制御基板上に構成できることから、増幅手段と記録・復調回路を一体化させた半導体で構成が可能となり、構成する半導体数量が減り、構成を簡略化できる。
【００２１】
さらに、前記開閉手段は、前記ヘッドの両端につながる複数の配線にそれぞれ接続された弾性を有する複数の導電性端子片と、前記導電性端子片の一端を固定し、かつ他端に対向する位置に凹部を有する前記端子片の支持基板と、前記凹部に設けられた導電体と、前記制御基板に接続され、それぞれの前記端子片と対向する前記支持基板との間に挿入される複数の制御基板端子とを有することを特徴とするものである。
【００２２】
この構成によれば、ヘッドが制御基板と分離されている状態では、導電性端子片及び導電体と共に閉回路を構成し、静電気破壊を発生しにくくすることができ、制御基板側に接続する場合には導電性端子片と導電体とが分離され電気回路的にクローズ状態からオープン状態になり、解除動作をするまではオープンな接続状態を維持することができる。
【００２３】
【発明の実施の形態】
図１は、本発明の第１の実施の形態に係る磁気ディスク装置の構成を示すブロック図であり、ヘッド周囲の結線図を示している。図１において、前述した従来例と同一部分は同一符号を付してその説明は省略する。新たな符号として、配線１７は、ヘッド２とは離して別々になされるＶＣＭ４の配線を示し、ヘッド２のＦＰＣ１２上の配線に対するＶＣＭ４の駆動時におけるノイズの干渉を緩和する構成となっている。
【００２４】
この図１に示す構成では、ヘッド２と結線したＦＰＣ１２の制御ＰＣＢ８との接合部１４に開閉手段１５及び１６を設けている。このため、制御ＰＣＢ８を取り付けない場合には、開閉手段１５及び１６は、ショート状態のノーマルクローズの状態になり、ヘッド２のコイル間はショート状態であることから、ヘッド２のコイル内の電位は安定している。また、制御ＰＣＢ８への接続を行うと、この開閉手段１５及び１６は、オープン状態になると同時に、制御ＰＣＢ８との電気回路との接続が可能になる。さらに、ヘッド２とＶＣＭ４の配線１７を別々にし、配線を離すことで、ＶＣＭ４の駆動時におけるノイズがヘッド２の配線への干渉を緩和する構成となる。
【００２５】
したがって、第１の実施の形態によれば、ヘッド２の静電気による破壊がない構成で、かつＦＰＣ１２の配線数も従来例記載の約１２本程度からヘッド２の結線数の４本に少なくでき、接合部の簡略化が可能になる。また、ヘッド２とＶＣＭ４の配線を別々にし、ＶＣＭ４からのノイズをヘッド２の配線から離すことで、内部ノイズ干渉を緩和できる。
【００２６】
図２は、本発明の第２の実施の形態に係る磁気ディスク装置の構成を示すブロック図であり、ヘッド周囲の結線図を示している。図２において、前述した第１の実施の形態と同一部分は同一符号を付してその説明は省略する。可撓性基板としてのＦＰＣ１２と制御基板としての制御ＰＣＢ８との接合部１４に開閉手段１５、１６が設けられている（図４（ａ）〜（ｃ）参照）。
【００２７】
この図２に示す構成では、ヘッド２と結線したＦＰＣ１２と制御ＰＣＢ８との接合部１４に開閉手段１５及び１６を設けており、制御ＰＣＢ８を取り付けない場合に、この開閉手段１５及び１６は、ショート状態のノーマルクローズの状態（図４（ｂ）参照）になり、ヘッド２のコイル間はショート状態であることから、ヘッド２のコイル内の電位は安定する。また、制御ＰＣＢ８への接続を行うと、この開閉手段１５及び１６は、オープン状態になると同時に、制御ＰＣＢ８との電気回路との接続が可能になる（図４（ｃ）参照）。
【００２８】
したがって、本発明の第２の実施の形態によれば、ヘッド２と制御ＰＣＢ８との間の配線を、ＦＰＣ１２を介して接続する接合部１４として、制御ＰＣＢ８とＦＰＣ１２との間に、ノーマルクローズの開閉手段１５及び１６を設けたので、ＦＰＣ１２の配線数も前述した従来例に記載された約１２本程度からヘッド２の結線数の４本に少なくでき、簡略化が可能になり、また、構成を単純化するにあたってヘッド２が静電気で破壊されない構造の磁気ディスク装置を提供することができる。
【００２９】
次に、図３は、本発明の第３の実施の形態に係る磁気ディスク装置の構成を示すブロック図であり、ヘッド周囲の結線図を示している。図３において、前述した第２の実施の形態と同一部分は同一符号を付してその説明は省略する。新たな符号として、半導体１８は、同一の制御ＰＣＢ８上に、プリアンプ７と記録・復調回路９を一体化させた半導体を示す。
【００３０】
この図３に示す構成では、第１及び第２の実施の形態と同様に、ヘッド２と結線したＦＰＣ１２の制御ＰＣＢ８の接合部１４に開閉手段１５及び１６を設けている。制御ＰＣＢ８を取り付けない場合には、この開閉手段１５及び１６は、ショート状態のノーマルクローズの状態になり、ヘッド２のコイル間はショート状態であることから、ヘッド２のコイル内の電位は安定している。また、制御ＰＣＢ８への接続を行うと、この開閉手段１５及び１６は、オープン状態になると同時に制御ＰＣＢ８との電気回路との接続が可能になる。さらに、従来別体の構成となっていた、プリアンプ７と記録・復調回路９が同一の制御ＰＣＢ８上に構成できることから、プリアンプ７と記録・復調回路９を一体化させた半導体１８の構成が可能となり、構成する半導体数量が減り、構成が簡略化できる。
【００３１】
本発明の接合部を構成する開閉手段の一例について、図４を用いてさらに詳細に説明する。図４において、簡略化のためにヘッド２に関しては１本のコイル２ａで代表して説明する。通常、書込み用のコイルと読出し用のコイルとの２本のコイルがセットになってヘッド２を構成しているが、説明上、図４（ａ）に示すように簡略化している。
【００３２】
この開閉手段１５、１６はコイル２ａの両端につながる配線２ｃ、２ｂにそれぞれ接続された弾性を有する導電性端子片１９ａ、１９ｂと、導電性端子片１９ａ、１９ｂの一端を固定し支持する支持基板１４ａと、この支持基板１４ａ上が、導電性端子片１９ａ、１９ｂの他端に対向する位置に凹部２０を有しており、この凹部２０に設けられた導電体２２と、制御ＰＣＢ８に接続されそれぞれの導電性端子片１９ａ、１９ｂと対向する支持基板１４ａとの間に挿入される制御ＰＣＢ側端子２１ａ、２１ｂとで構成されている。
【００３３】
さらに、導電性端子片１９ａ、１９ｂは制御ＰＣＢ側端子２１ａ、２１ｂが挿入される側の支持基板１４ａ側にテーパ面２４を有し、制御ＰＣＢ側端子２１ａ、２１ｂ自体も先端にテーパ面２５、２６を有している。
【００３４】
以上のように、構成された本発明の磁気ディスク装置の開閉手段１５、１６について、その動作を説明する。まず、ヘッド２及びＦＰＣ１２が制御ＰＣＢ８から分離されている状態では、導電性端子片１９ａ、１９ｂの固定されていない側である先端部のテーパ面２４下部の接触部１９ｃ、１９ｄが支持基板１４ａ上の凹部２０に設けた導電体２２と、導電性端子片１９ａ、１９ｂの弾性力で付勢されて接触している。一方、導電体２２は導電性端子片１９ａと導電性端子片１９ｂ間を接続するだけの長さを有している。このため、コイル２ａ、導電性端子片１９ａ、導電体２２、導電性端子片１９ｂは閉回路を構成することにより、静電気破壊が発生しにくい構成となっている。
【００３５】
次に、制御ＰＣＢ８側に接続する場合について説明する。これらを結合するとき、制御ＰＣＢ側端子２１ａ、２１ｂを支持基板１４ａの上面のガイド面２３に沿って挿入すると先端部上面のテーパ面２５が導電性端子片１９ａ、１９ｂに接触した後、それぞれの導電性端子片１９ａ、１９ｂを押し上げることで、導電性端子片１９ａ、１９ｂと導電体２２とが分離されコイル２ａ側から考えると電気回路的に（ノーマル）クローズ状態からオープン状態になる。
【００３６】
その後、この空間に制御ＰＣＢ側端子２１ａ、２１ｂが入り込む。制御ＰＣＢ側端子２１ａ、２１ｂは所定の位置まで入り込むと支持基板１４ａの凹部付近の（テーパ）面２７に制御ＰＣＢ側端子２１ａ、２１ｂの先端下部のテーパ面２６がストッパとなり、当接した所以上の入り込みを防ぐ。このとき、制御ＰＣＢ側端子２１ａ、２１ｂは支持基板１４ａ上面のガイド面２３上に乗った状態となり、導電体２２との間に隙間ｈが形成されるので、回路的にオープン状態を維持することができる。
【００３７】
本発明の実施の形態においては、ガイド面２３の幅を導電性端子片１９ａ、１９ｂを挿入するときに、横ずれしにくくし、同時に挿入作業を容易にするために、それぞれの幅よりも約０．１〜０．３ミリ程度広い溝幅としている。そして、接合部１４と制御ＰＣＢ８との間隔を保つために、容易に解除可能なロック機構（図示せず）を設けているので、意図的に解除動作をするまではオープンな接続状態を維持することができる。
【００３８】
したがって、第３の実施の形態によれば、ヘッド２の静電気での破壊がない構成で、かつＦＰＣ１２の配線数も従来例記載の約１２本程度からヘッド２の結線数の４本に少なくでき、接合部の簡略化が可能になる。また、従来別体の構成となっていた、プリアンプ７と記録・復調回路９が同一の制御ＰＣＢ８上に構成できることから、プリアンプ７と記録・復調回路９を一体化させた半導体１８で構成が可能となり、構成する半導体数量が減り、構成が簡略化できる。
【００３９】
【発明の効果】
以上のように、本発明によれば、構成を単純化するにあたってヘッドが静電気で破壊されない構造の磁気ディスク装置を提供することができる。
【図面の簡単な説明】
【図１】本発明の第１の実施の形態に係る磁気ディスク装置の構成を示すブロック図であり、ヘッド周囲の結線図
【図２】本発明の第２の実施の形態に係る磁気ディスク装置の構成を示すブロック図であり、ヘッド周囲の結線図
【図３】本発明の第３の実施の形態に係る磁気ディスク装置の構成を示すブロック図であり、ヘッド周囲の結線図
【図４】（ａ）本発明の第１から第３の実施の形態の磁気ディスク装置の接合部の説明図
（ｂ）本発明の第１から第３の実施の形態の磁気ディスク装置の接合部の未接続状態つまりノーマルクローズの状態の説明図
（ｃ）本発明の第１から第３の実施の形態の磁気ディスク装置の接合部の電気回路接続状態つまりオープン状態の説明図
【図５】従来例に係る磁気ディスク装置の構成を示す模式的なブロック図
【図６】図５におけるヘッド２の周囲の結線図
【符号の説明】
１　ディスク
２　ヘッド
２ａ　コイル
３　アーム
４　ＶＣＭ（ボイスコイルモータ）
５　ＨＤＡ
６　スピンドルモータ
７　プリアンプ
８　制御ＰＣＢ
９　記録・復調回路
１０　モータ駆動回路
１１　制御回路
１２　ＦＰＣ
１３　プリアンプ７と記録・復調回路のインタフェース
１４　接合部
１５、１６　開閉手段
１７　ＶＣＭの配線
１８　プリアンプ７と記録・復調回路を一体化した半導体
１９ａ、１９ｂ　導電性端子片
１９ｃ、１９ｄ　接触部
２０　凹部
２１ａ、２１ｂ　制御ＰＣＢ側端子
２２　導電体
２３　ガイド面
２４、２５、２６、２７　テーパ面
ｈ　隙間
【図１】
2004127338.tif 000003
【図２】
2004127338.tif 000004
【図３】
2004127338.tif 000005
【図４】
2004127338.tif 000006
【図５】
2004127338.tif 000007
【図６】
2004127338.tif 000008